(57)【要約】【課題】単一の掃除具で、拭き掃除と掃き掃除の両方を行うことができる掃除具を提供する。【解決手段】清掃シートＰが取り付けられるヘッド部１と、ヘッド部１に接続され、使用者が把持するための柄部２と、を有し、ヘッド部１は、柄部２をヘッド部１の上面に対して略平行に倒した状態でこれを固定する柄部固定部１１３を備える。ヘッド部１は、上面側を形成し柄部２が接続される天面部１１と、下面側を形成する底面部１２と、を備え、底面部１２は、天面部１１に対し着脱自在に形成されている。【選択図】図１
2019058372.tif 000002
【特許請求の範囲】
【請求項１】
清掃用部材が取り付けられるヘッド部と、前記ヘッド部に接続され、使用者が把持するための柄部と、を有し、
前記ヘッド部は、前記柄部を前記ヘッド部の上面に対して略平行に倒した状態でこれを固定する固定手段を備えることを特徴とする掃除具。
【請求項２】
前記ヘッド部は、上面側を形成し柄部が接続される天面部と、下面側を形成する底面部と、を備え、
前記底面部は、前記天面部に対し着脱自在に形成されていることを特徴とする請求項１に記載の掃除具。
【請求項３】
前記底面部は平面視略矩形状に形成され、前記底面部の前記天面部との対向面には、一辺の縁部から中央部へと繋がる平坦部と、前記一辺を除く３辺の縁部近傍に形成され、前記天面部と着脱可能に固定するための係合部と、が備えられていることを特徴とする請求項２に記載の掃除具。
【請求項４】
前記ヘッド部の上面側には、清掃用部材を取り付けるための取付部が備えられていることを特徴とする請求項１から３のいずれか一項に記載の掃除具。
【請求項５】
前記固定手段は、回動部を有する複数のフックを備え、
前記回動部には、前記回動部を折り曲げた状態で固定可能なロック機構が備えられていることを特徴とする請求項１から４のいずれか一項に記載の掃除具。
【請求項６】
前記固定手段は、回動部を有するフックと、前記フックの先端を前記ヘッド部上面に固定する係止手段と、を備えることを特徴とする請求項１から４のいずれか一項に記載の掃除具。
【発明の詳細な説明】
【技術分野】
【０００１】
本発明は、掃除具に関する。
【背景技術】
【０００２】
従来、床面の清掃を行うための掃除具として、清掃シート等の清掃用部材が取り付けられるヘッド部と、使用者が掃除具を把持するための柄部と、ヘッド部と柄部とを接続するためのジョイント部と、を有し、ジョイント部を介して、ヘッド部と柄部とが回動可能に連結されたものが知られている。
このような掃除具は、清掃用部材が取り付けられるヘッド部の形状によって清掃の効率性が左右されるため、ヘッド部の形状について種々の工夫が凝らされており、例えば、清掃ヘッドの周縁部に略三角形の断面形状の空隙が保持されるようにすることで、清掃ヘッドの辺部を変形し易くし、清掃の際に床面等の際部分の形状に清掃ヘッドの周縁部をフィットさせ易くして、床面等の際部分の清掃を効率的に行うことを可能としたものが知られている（例えば、特許文献１参照）。
【先行技術文献】
【特許文献】
【０００３】
【特許文献１】特開２０１３−３４７６６号公報
【発明の概要】
【発明が解決しようとする課題】
【０００４】
しかしながら、上記特許文献に記載の掃除具のように、いくらヘッド部の形状に工夫を凝らしても、このような掃除具による拭き掃除では取ることができず、掃き掃除をしないと取ることができないごみが存在する。例えば、米粒等のごみである。
したがって、従来の掃除具では、それだけで掃除を完結させることはできず、別途、例えば箒及び塵取りといった掃き掃除用の掃除具を用意する必要があることから、保管に多くのスペースを要し、また、掃除の際の準備にも手間が掛かった。
【０００５】
本発明の課題は、単一の掃除具で、拭き掃除と掃き掃除の両方を行うことができる掃除具を提供することである。
【課題を解決するための手段】
【０００６】
上記課題を解決するために、請求項１に記載の発明は、掃除具において、
清掃用部材が取り付けられるヘッド部と、前記ヘッド部に接続され、使用者が把持するための柄部と、を有し、
前記ヘッド部は、前記柄部を前記ヘッド部の上面に対して略平行に倒した状態でこれを固定する固定手段を備えることを特徴とする。
本発明によれば、単一の掃除具で、拭き掃除と掃き掃除の両方を行うことができる掃除具を提供することができる。
【０００７】
請求項２に記載の発明は、請求項１に記載の掃除具において、
前記ヘッド部は、上面側を形成し柄部が接続される天面部と、下面側を形成する底面部と、を備え、
前記底面部は、前記天面部に対し着脱自在に形成されていることを特徴とする。
本発明によれば、掃き掃除を行い易くすることができる。
【０００８】
請求項３に記載の発明は、請求項２に記載の掃除具において、
前記底面部は平面視略矩形状に形成され、前記底面部の前記天面部との対向面には、一辺の縁部から中央部へと繋がる平坦部と、前記一辺を除く３辺の縁部近傍に形成され、前記天面部と着脱可能に固定するための係合部と、が備えられていることを特徴とする。
本発明によれば、底面部を塵取りのようにして用いることが可能となる。
【０００９】
請求項４に記載の発明は、請求項１から３のいずれか一項に記載の掃除具において
前記ヘッド部の上面側には、清掃用部材を取り付けるための取付部が備えられていることを特徴とする。
本発明によれば、清掃用部材を取り付け易くなる。
【００１０】
請求項５に記載の発明は、請求項１から４のいずれか一項に記載の掃除具において、
前記固定手段は、回動部を有する複数のフックを備え、
前記回動部には、前記回動部を折り曲げた状態で固定可能なロック機構が備えられていることを特徴とする。
本発明によれば、柄部のヘッド部に対する固定が容易となると共に、柄部をヘッド部に対し強固に固定することが可能となる。
【００１１】
請求項６に記載の発明は、請求項１から４のいずれか一項に記載の掃除具において、
前記固定手段は、回動部を有するフックと、前記フックの先端を前記ヘッド部上面に固定する係止手段と、を備えることを特徴とする。
本発明によれば、柄部のヘッド部に対する固定が容易となると共に、柄部をヘッド部に対し強固に固定することが可能となる。
【発明の効果】
【００１２】
本発明によれば、単一の掃除具で、拭き掃除と掃き掃除の両方を行うことができる掃除具を提供することができる。
【図面の簡単な説明】
【００１３】
【図１】実施形態に係る掃除具の斜視図である。
【図２】実施形態に係る掃除具の正面図である。なお、柄部の上部は省略している。
【図３】実施形態に係る掃除具の側面図である。なお、柄部の上部は省略している。
【図４】（ａ）は天面部の底面図、（ｂ）は天面部の側面図である。
【図５】ヘッド部の平面図である。
【図６】底面部の平面図である。
【図７】ヘッド部の底面図である。
【図８】（ａ）は把持部の正面図、（ｂ）は把持部の側面図、（ｃ）は把持部の背面図、（ｄ）は把持部の平面図である。
【図９】掃除具の使用者が把持部を把持した状態を示す図である。
【図１０】ジョイント部の第１ヨーク部の概略斜視図である。なお、説明の便宜のため、図１から図３と比較して記載を簡略化している。
【図１１】柄部の下部及びジョイント部の第２ヨーク部の概略斜視図である。なお、説明の便宜のため、図１から図３と比較して記載を簡略化している。
【図１２】ジョイント部の連結部の概略斜視図である。なお、説明の便宜のため、図１から図３と比較して記載を簡略化している。
【図１３】掃き掃除を行う際の掃除具を示す図である。
【図１４】柄部固定部の変形例を示す図である。
【図１５】清掃シートの変形例を示す図である。
【発明を実施するための形態】
【００１４】
以下、本発明の実施形態である掃除具１００の具体的な態様について、図１から図１５に基づいて説明する。ただし、本発明の技術的範囲は、図示例に限定されない。
また、図１に示したようにＸ軸、Ｙ軸及びＺ軸並びに前後方向、左右方向及び上下方向を定めて説明する。
【００１５】
［実施形態の構成］
掃除具１００は、清掃シートＰが取り付けられるヘッド部１と、使用者が掃除具１００を把持するための柄部２と、ヘッド部１と柄部２とを接続するジョイント部３と、を備えている。
【００１６】
｛ヘッド部｝
ヘッド部１は、図１、図２及び図３に示すように、異なる材質によって形成された天面部１１と底面部１２とによって構成され、天面部１１の上面の略中央部に、ジョイント部３を介して柄部２が取り付けられている。
【００１７】
（天面部）
天面部１１は、Ｘ軸方向５０ｍｍ〜１５０ｍｍ、好ましくは７０ｍｍ〜１２０ｍｍ、Ｙ軸方向２００ｍｍ〜３００ｍｍ、好ましくは２２０ｍｍ〜２７０ｍｍの大きさを有する、Ｙ軸方向に長い平面視略矩形状の部材であり、例えばＡＢＳ樹脂（アクリロニトリル、ブタジエン、スチレン共重合合成樹脂）等の硬質な材料によって形成されている。
天面部１１の上面側は、図２に示すように、Ｙ軸方向両端部付近が高く、Ｙ軸方向中央部付近が低くなるように形成されており、Ｙ軸方向両端部付近に隆起部１１１が形成され、Ｙ軸方向中央部付近に沈降部１１２が形成されている。
天面部１１は、質量が５０ｇ〜４００ｇ、より好ましくは８０ｇから３００ｇとなるように形成される。
【００１８】
（天面部上面側の構成）
まず、天面部上面側の構成について説明する。
【００１９】
（隆起部）
隆起部１１１は、図２に示すように、正面視において天面部１１の上面側のＹ軸方向両端部付近において、上方に向けて隆起するように形成されている。また、隆起部１１１は、図３に示すように、側面視においてＸ軸方向中央部付近が最も高く、前後方向からＸ軸方向中央部付近にむけて緩やかに隆起するように形成されている。
隆起部１１１は、最も高い部分において、ヘッド部１の厚みが１０ｍｍ〜３０ｍｍ、好ましくは１５ｍｍ〜２５ｍｍとなるように形成されている。ヘッド部１の厚みが１０ｍｍより低いと、後述の取付部１３へのシート取付け時に指の入りが悪くシートが外れやすくなり、ヘッド部１の厚みが３０ｍｍより高いと、ソファやラック下などの足の低い家具の下側への入り込みが困難となる。
【００２０】
なお、隆起部１１１の具体的な配置位置及び形状は、上記のものに限られず、柄部２が第１突起部３１１を乗り越える際にこれを持ち上げることができる範囲で、適宜変更することが可能である。
また、隆起部１１１は、ヘッド部１の平面視における長手方向の両端部付近に形成されることが望ましいが、これに限られず、後述の第１ヨーク部３１の２つの第１突起部３１１が並ぶ方向と同一の方向の両端部付近に形成されていればよい。
【００２１】
（沈降部）
沈降部１１２は、図２に示すように、天面部１１の上面側のＹ軸方向中央部付近において、両端部に形成された隆起部１１１から緩やかに沈降するように形成されている。
沈降部１１２は、ジョイント部３を介して柄部２が取り付けられる天面部１１の中央部において、ヘッド部１の厚みが１５ｍｍ以下、好ましくは１２ｍｍ以下となるように形成されている。
【００２２】
（柄部固定部）
図１から図３に示すように、天面部１１上面側の短手方向（Ｘ軸方向）の端部付近には、長手方向（Ｙ軸方向）の中央部に、柄部２を天面部１１の上面側と略平行に倒した状態で固定するための、柄部固定部１１３が備えられている。なお、図１から図３においては、前側の端部付近に柄部固定部１１３を備えた場合について図示している。柄部固定部１１３は、天面部１１のその他の部分と同様、例えばＡＢＳ樹脂等の硬質な材料によって形成されている。
【００２３】
柄部固定部１１３は、図１及び図２に示すように、２本のフック１１３１によって形成されている。
２本のフック１１３１は、その間の間隙の形状が、柄本体２１の、柄部２を天面部１１の短手方向へと倒した際に、柄部固定部１１３と重なる部分の断面形状と略一致するように形成されており、２本のフック１１３１の間隙に柄本体２１を挿入することによって、柄部２を天面部１１の上面側と略平行に倒した状態で、これを固定することができるように形成されている。
なお、本実施形態においては、フック１１３１は特に折り曲げが可能な回動部を備えていないが、上記ＡＢＳ樹脂等の、硬質でありながら一定の柔軟性を有する材料によって形成されていれば、容易にその間に柄本体２１を取り付け、また取り外すことができる。
【００２４】
（取付部）
天面部１１上面の平面視四隅付近には、図１に示すように、取付部１３が備えられている。取付部１３は、天面部１１上面の隆起部１１１上に形成された、周囲にＥＶＡ（エチレン酢酸ビニル共重合体）等によって形成された爪部１３１が備えられた穴であり、清掃シートＰを押し込み爪部１３１に引っ掛けることで、ヘッド部１に清掃シートＰを取り付けることができる。
なお、取付部１３の形状は、清掃シートＰをヘッド部１に取り付けることができればよく、上記の形状には限られない。
【００２５】
（天面部下面側の構成）
次に、天面部下面側の構成について説明する。
【００２６】
天面部１１の下面には、図４に示すように下方に突出するリブ１１４が形成されている。
リブ１１４は、図４（ａ）に示すように、天面部１１の平面視中央部付近に、下方に大きく突出する中央部リブ１１４１が形成され、その周囲に、中央部リブ１１４１の周囲から、天面部１１の平面視における端部付近へと徐々に低くなるように形成された、周辺部リブ１１４２が形成されている。
さらに、天面部１１下面の平面視における端部には、これを周回するように縁部リブ１１４３が形成されている。
なお、図４（ｂ）に示すように、中央部リブ１１４１は全ての箇所で同じ高さとなり、周辺部リブ１１４２は、中央部リブ１１４１から天面部１１の縁部方向に向かうにつれて徐々に低くなるように形成されている。また、縁部リブ１１４３は、中央部リブ１１４１よりは低く、周辺部リブ１１４２の縁部リブ１１４３に近接した部分よりは高くなるように形成されている。
【００２７】
中央部リブ１１４１は、図４（ｂ）に示す天面部１１の縁部（リブ１１４を除いた天面部１１の下端部分）から、０．５ｍｍから５ｍｍ、より好ましくは１ｍｍから３ｍｍ下方に突出するように形成される。
また、中央部リブ１１４１は、天面部１１の長手方向において、全長に対し１０％から９０％、より好ましくは５０％から８０％の範囲に形成される。また、中央部リブ１１４１は、天面部１１の短手方向において、全長に対し１０％から７５％、より好ましくは３０％から６０％の範囲に形成される。
【００２８】
このように天面部１１が形成されていることによって、天面部１１の下面によって、底面部１２の平面視中央付近が強く押圧されることとなり、底面部１２の中央付近において効果的にごみを捕集することができる。また、この場合、底面部１２の端部付近はあまり押圧されないこととなるため、ごみを底面部１２の下面側に誘い込む上でも好適である。
【００２９】
（底面部）
底面部１２は、例えばＴＰＥ（熱可塑性エラストマー）等の天面部１１と比較して軟質な弾性変形可能な材料によって、図５に示すように、平面視において天面部１１よりわずかに大きい略矩形状となるように形成されている。
具体的には、底面部１２は、天面部１１に対して、Ｘ軸方向に０．５ｍｍ〜５ｍｍ、より好ましくは１ｍｍ〜３ｍｍ、Ｙ軸方向に０．５ｍｍ〜１０ｍｍ、より好ましくは１ｍｍ〜５ｍｍ、四隅の角において０．５ｍｍ〜２０ｍｍ、より好ましくは５ｍｍ〜１５ｍｍ程度、平面視においてが天面部１１に対して大きくなるように形成されている。
また、厚みはＺ軸方向に１ｍｍ〜１０ｍｍ、好ましくは３ｍｍ〜４ｍｍに形成される。
【００３０】
用いられる材料のゴム硬度は６０〜１００（ＪＩＳ  Ｋ  ６２５３で規定する、デュロメータタイプＡ（ショアＡ）で測定した値）がダスト捕集性の観点から好ましい。
また、底面部１２は、質量が３０ｇ〜６００ｇ、より好ましくは５０ｇ〜５００ｇとなるように形成される。底面部１２の質量が小さすぎると、これを取り付けて床面等の低所の清掃を行う際に、床面等を押圧するために使用者が強い力を掛ける必要があり、また、底面部１２の質量が大きすぎると、掃除具１００か重くなり過ぎてしまい、使用者の負担が大きくなってしまうため、いずれも望ましくない。
【００３１】
（底面部上面側の構成）
まず、底面部１２上面側の構成について説明する。
底面部１２上面側は、天面部１１に対し着脱自在となるように、以下のように形成されている。
【００３２】
図６に示すように、底面部１２上面側の平面視における縁部付近には、縁部凸部１２ａが形成され、その内周側に上面リブ１２ｂが形成されている。また、縁部凸部１２ａと、上面リブ１２ｂとの間に、溝１２ｃが形成されている。
縁部凸部１２ａと、上面リブ１２ｂとは、図６に示すように、底面部１２上面側を、短手方向側の端部のうち一方（図６においては前側）の付近を除いて、周回するように形成されている。また、底面部１２上面の上面リブ１２ｂで囲まれた部分は、略平面状に形成され、平坦部１２ｄを形成している。
縁部凸部１２ａと、上面リブ１２ｂとは、略同一の高さとなるように形成され、平坦部１２ｄに対し、０．５ｍｍから５ｍｍ、より好ましくは１ｍｍから３ｍｍ高くなるように形成されている。
【００３３】
縁部凸部１２ａは、図５及び図６に示すように、平面視において、その内周側の形状が、これが形成されていない前側の部分を除いて、平面視における天面部１１の外周の形状と略同一となるように形成されている。また、溝１２ｃは、平面視において、これが形成されていない前側の部分を除いて、天面部１１下面の縁部リブ１１４３と略同一の形状となるように形成されている。
したがって、縁部リブ１１４３を溝１２ｃに嵌めることによって、天面部１１に底面部１２を取り付けることができ、縁部リブ１１４３を溝１２ｃから引き抜くことによって、これを取り外すことができる。
【００３４】
これに対し、縁部凸部１２ａと、上面リブ１２ｂとが形成されない底面部１２の短手方向側の端部のうち一方（図６においては前側）の付近は、略平面状に形成され、平坦部１２ｄが、底面部１２の平面視における端部まで形成されている。
【００３５】
（下面側の構成）
底面部１２の下面側は、以下のように構成されている。
（平面部及び凹状部）
底面部１２の下面側には、図７に示すように、平面部１２１と、短手方向凹状部１２２と、長手方向凹状部１２３と、が形成されている。
【００３６】
（平面部）
平面部１２１は、図７に示すように、底面部１２下面側の短手方向凹状部１２２及び長手方向凹状部１２３以外の部分を構成する、後述の線状リブ１２４を除いて略平面上に形成された部分である。
【００３７】
なお、底面部１２は、ヘッド部１の下側を構成する弾性変形可能な材料によって形成された部材の全体を指し、平面部１２１は、底面部１２の下面のうち、略平面上に形成された部分を指す。
【００３８】
（短手方向凹状部）
短手方向凹状部１２２は、図２及び図７に示すように、底面部１２の下面側の短手方向（Ｘ軸方向）の両端部付近に形成された上方に向けて凹状となるように形成された部分である。これによって、掃除具１００の使用時において、ヘッド部１の下面側の短手方向（Ｘ軸方向）の両端部付近は、床面に密着せず、床面との間に間隙が生じることとなる。
【００３９】
短手方向凹状部１２２は、ヘッド部１の短手方向（Ｘ軸方向）の両端部付近の下面側において、床面との間に間隙を生じさせることが可能であれば任意の形状に形成することが可能であるが、ヘッド部１の前側又は後側の端部のＹ軸方向中央部において底面部１２の下面側が最も大きく凹むように形成され、当該部分から離れるにつれて凹みが小さくなり、平面部１２１になだらかに接続されるように形成されていることが望ましい。
短手方向凹状部１２２は、最も凹んだ部分において、上方に０．１ｍｍ〜５ｍｍ、より好ましくは０．５ｍｍ〜３ｍｍ平面部１２１と比較して凹むように形成される。
【００４０】
底面部１２の下面側に短手方向凹状部１２２が形成されていることによって、掃除具１００をヘッド部１の短手方向（Ｘ軸方向）に動かして床面の清掃を行う際に、床面のごみがヘッド部１の前後の端部に溜まらずに、ヘッド部１の下面に誘い込まれるようになり、ごみの捕集性を向上させることができる。
【００４１】
（長手方向凹状部）
長手方向凹状部１２３は、図３及び図７に示すように、底面部１２の下面側の長手方向（Ｙ軸方向）の両端部付近に形成された上方に向けて凹状となるように形成された部分である。これによって、掃除具１００の使用時において、ヘッド部１の下面側の長手方向（Ｙ軸方向）の両端部付近は、床面に密着せず、床面との間に間隙が生じることとなる。
【００４２】
長手方向凹状部１２３は、ヘッド部１の長手方向（Ｙ軸方向）の両端部付近の下面側において、床面との間に間隙を生じさせることが可能であれば任意の形状に形成することが可能であるが、ヘッド部１の右側又は左側の端部のＸ軸方向中央部において底面部１２の下面側が最も大きく凹むように形成され、当該部分から離れるにつれて凹みが小さくなり、平面部１２１になだらかに接続されるように形成されていることが望ましい。
長手方向凹状部１２３は、最も凹んだ部分において、上方に０．１ｍｍ〜５ｍｍ、より好ましくは０．５ｍｍ〜３ｍｍ平面部１２１と比較して凹むように形成される。
【００４３】
底面部１２の下面側に長手方向凹状部１２３が形成されていることによって、掃除具１００をヘッド部１の長手方向（Ｙ軸方向）に動かして床面の清掃を行う際に、床面のごみがヘッド部１の左右の端部に溜まらずに、ヘッド部１の下面に誘い込まれるようになり、ごみの捕集性を向上させることができる。
【００４４】
（線状リブ）
底面部１２下面側の平面部１２１には、図７に示すように、底面視において線状となるように下方に凸となった線状リブ１２４が形成されている。
線状リブ１２４は、全てＹ軸方向に同一の高さを有するように形成され、具体的には、０．１ｍｍ〜２ｍｍ、より好ましくは０．２ｍｍ〜１ｍｍ下方に向けて突出するように形成される。また、各線状リブは、長さが１ｍｍ〜１００ｍｍ、より好ましくは８ｍｍ〜８５ｍｍ、幅が０．１ｍｍ〜２ｍｍ、より好ましくは０．２ｍｍ〜１．２ｍｍの線状に形成される。
なお、線状リブ１２４には、底面視直線状に形成されたリブと、底面視曲線状に形成されたリブの双方を含む。
【００４５】
線状リブ１２４は、斜線リブ１２４１と、菱形リブ１２４２と、からなり、具体的な配置は以下の通りである。
【００４６】
（斜線リブ）
斜線リブ１２４１は、線状リブ１２４のうち、菱形リブ１２４２を除いた部分であり、平面部１２１のうち、菱形リブ１２４２が形成された部分を除いた略全面に形成されている。
斜線リブ１２４１は、図７に示すように、ヘッド部１の底面視において、ヘッド部１底面のＸ軸方向中央部から、前方又は後方に向かうにつれて、Ｙ軸方向中央部に向けて、Ｘ軸に平行な方向から傾斜する線状に形成されている。
【００４７】
（菱形リブ）
菱形リブ１２４２は、図７に示すように、線状のリブが、底面視略菱形上に配置された部分であり、平面部１２１のうち、Ｘ軸方向及びＹ軸方向における中央部と、Ｘ軸方向中央部であって、Ｙ軸方向において中央部と端部との中間となる位置の２か所と、ヘッド部１下面の四隅付近の４箇所と、に形成されている。
【００４８】
（端部リブ）
底面部１２下面側の長手方向（Ｙ軸方向）の両端部付近の下面側には、Ｘ軸方向中央部に、Ｙ軸方向に沿って直線状に形成された端部リブ１２５が形成されている。
端部リブ１２５は、平面部１２１から見て、下方向に１ｍｍ〜５ｍｍの高さを有するように形成される。１ｍｍより低いと溝の清掃を十分に行うことができなくなり、５ｍｍより高いと床面の平面部の清掃の際に邪魔になる可能性が高くなる。ただし、端部リブ１２５は、Ｚ軸方向に線状リブ１２４よりも高くなるように形成される必要がある。
なお、図４に示すように端部リブ１２５が、長手方向凹状部１２３に重なって形成されている場合においても、端部リブは、平面部１２１に対して上記の高さを有するように形成される必要がある。
また、端部リブ１２５は、Ｙ軸方向の長さ１０ｍｍ〜５０ｍｍ、より好ましくは２０ｍｍ〜３０ｍｍ、Ｘ軸方向の幅０．１ｍｍ〜３ｍｍ、より好ましくは０．５ｍｍ〜１．５ｍｍとなるように形成される。
端部リブが設けられていることによって、これを床面の溝に入り込ませることで、床面の平面部のみならず、溝の清掃を行うことも可能となる。
【００４９】
（端部突起部）
ヘッド部１の長手方向（Ｙ軸方向）の両端部のＸ軸方向の中央部には、図１、図２及び図７に示すように、端部リブ１２５から連続する形で、Ｙ軸方向に突出する端部突起部１２６が形成されている。端部突起部１２６は、ヘッド部１の長手方向（Ｙ軸方向）の両端部から、０．５ｍｍ〜３ｍｍ、より好ましくは０．８ｍｍ〜２ｍｍ右方又は左方へ突出するように形成される。
【００５０】
（穴部）
底面部１２下面側の長手方向両端部付近には、図７に示すように上方に凹状となる穴部１２７が形成されている。これによって、底面部１２の長手方向の両端部付近がしなやかになり、底面部１２の天面部１１への着脱が容易となる。
穴部１２７を構成する各穴の大きさは、底面視において、底面部１２の四隅付近が最も大きく、端部リブ１２５に近づくにつれて小さくなるように形成されている。具体的には、底面視において、Ｘ軸方向、Ｙ軸方向共に、大きいもので３ｍｍから１５ｍｍ、より好ましくは５ｍｍ〜１０ｍｍ、小さいもので１ｍｍから５ｍｍ、より好ましくは２ｍｍから４ｍｍの長さとなるように形成される。
【００５１】
｛柄部｝
柄部２は、掃除具１００を使用する際に使用者がこれ把持するために用いられる棒状の部材であり、図１に示すように、柄本体２１と、把持部２２とを備える。なお、柄部２は、ヘッド部１に対してジョイント部３を介して回動可能に接続されるが、図１に示すようにヘッド部１上に、地面に対して略垂直となるように立てた状態において前後方向、左右方向及び上下方向を定めて説明する。
【００５２】
（柄本体）
柄本体２１は、図１に示すように、例えばＡＢＳ樹脂（アクリロニトリル、ブタジエン、スチレン共重合合成樹脂）、金属（アルミニウム、スチール、ステンレス）、ポリカーボネート、ポリプロピレン等の硬質な材料によって形成された棒状の部材であり、下端において、ヘッド部１の天面部１１の上面側の略中央部に、ジョイント部３を介して接続され、上端部において、把持部２２に接続されている。
柄本体２１は、下端部付近において、図３に示すように、前後方向の厚みが左右方向の厚みと比較して僅かに薄くなるように形成されている。これによって、柄部２を低い状態に倒し易くなる。
なお、柄部２を低い状態に倒し易くなるという効果は減少するものの、柄本体２１の下端部付近は、前後方向と、左右方向とにおいて同じ厚みとなるように形成してもよい。また、例えば後述の第２突起部３２１の強度を重視し、前後方向の厚みが左右方向の厚みよりも厚くなるように形成してもよい。
【００５３】
また、柄本体２１には、図１に示すように３箇所の接続部２１１が設けられ、４つに分割できるように形成されている。
【００５４】
柄本体２１は、Ｚ軸方向に５００ｍｍから１０００ｍｍ、より好ましくは６００ｍｍから９００ｍｍの長さを有するように形成される。また、質量は５０ｇ〜３００ｇ、より好ましくは１００ｇから２５０ｇとなるように形成される。
【００５５】
（把持部）
把持部２２は、柄部２のうち、掃除具１００の使用時に使用者が把持する部分であり、下端部において柄本体２１に接続されている。
把持部２２はＺ軸方向に１００ｍｍから４００ｍｍ、より好ましくは２５０ｍｍから３５０ｍｍの長さを有し、平面視において、最も太くなる部分で直径１５ｍｍから４５ｍｍ、より好ましくは２０ｍｍから４０ｍｍの略円形となるように形成される。また、質量は３０ｇ〜２００ｇ、より好ましくは５０ｇから１００ｇとなるように形成される。
なお、把持部２２は、本実施形態のように柄本体２１と別部材として形成されていてもよいし、一体として形成されていてもよい。
【００５６】
（傾斜面）
把持部２２の上面は、図８（ｂ）に示すように、Ｚ軸に対して垂直な面（ＸＹ面）に対して、一方向に傾斜するように形成され、傾斜面２２ａが形成されている。傾斜面２２ａは、ＸＹ面に対して３０°から８０°、より好ましくは４０°度から７０°傾斜するように形成される。また、傾斜面２２ａが、最もＺ軸方向に高くなる点、すなわち、傾斜面２２ａの前端部を、先端２２ａａとする。
【００５７】
（周面）
把持部２２の周面２２ｂ、すなわち、把持部２２の外面のうち、上面の傾斜面２２ａ及び柄本体２１と接続される下面を除いた面は、図８（ａ）から（ｄ）に示すように、下端部付近及び傾斜面２２ａが形成された上端部付近を除いて、上方へ向かうにつれて、徐々に太くなる断面形状を有するように形成されている。
【００５８】
（溝部）
図８（ｃ）及び（ｄ）に示すように、把持部２２上部の、傾斜面２２ａがＺ軸方向に低くなっている側、すなわち後側には、柄本体が溝状にＸ軸方向へと凹となった溝部２２ｃが形成されている。
溝部２２ｃは、Ｘ軸方向に深さ０．５ｍｍから５ｍｍ、より好ましくは１ｍｍから３ｍｍ、Ｙ軸方向に幅５ｍｍから３０ｍｍ、より好ましくは１０ｍｍから２０ｍｍ、Ｚ軸方向に長さ３０ｍｍから１００ｍｍ、より好ましくは４０ｍｍから７０ｍｍとなるように形成される。
【００５９】
（孔部）
図８（ａ）から（ｄ）に示すように、把持部２２の上端部近傍には、傾斜面２２ａから、周面２２ｂ上部の、先端２２ａａ側、すなわち、前側へと貫通する孔部２２ｄが形成されている。
孔部２２ｄは、図８（ｃ）及び（ｄ）に示すように、傾斜面２２ａが広く凹状に下方へ陥没した陥没部２２ｄａと、陥没部２２ｄａから、周面２２ｂ上部の先端２２ａａ側へと貫通する貫通孔２２ｄｂと、からなる。
【００６０】
孔部２２ｄは、貫通孔２２ｄｂが直径５ｍｍから２０ｍｍ、より好ましくは８ｍｍから１５ｍｍの正面視円形の孔となるように形成される。
【００６１】
（滑り止め部）
把持部２２の周面２２ｂの、先端２２ａａ側、すなわち前側には、図８（ａ）及び（ｂ）に示すように、周面２２ｂの表面が水平方向の線状に複数箇所隆起した、滑り止め部２２ｅが形成されている。
【００６２】
滑り止め部２２ｅを形成する複数の線状の突起は、夫々が、Ｘ軸方向に高さ０．１ｍｍから２ｍｍ、より好ましくは０．５ｍｍから１ｍｍ、Ｙ軸方向に長さ５ｍｍから５０ｍｍ、より好ましくは１０ｍｍから４０ｍ、Ｚ軸方向に幅１ｍｍから５ｍｍ、より好ましくは１．５ｍｍから３ｍに形成される。また、滑り止め部２２ｅを形成する線状の突起は、Ｚ軸方向に２ｍｍから１０ｍｍ、より好ましくは３ｍｍから６ｍｍの間隔を空けて形成されることが望ましい。
【００６３】
滑り止め部２２ｅは、図９に示すように、掃除具１００の使用者が把持部２２を把持した際に親指の先端が接する位置、具体的には、把持部２２の上端部からの距離が、３０ｍｍから２５０ｍｍ、より好ましくは７０ｍｍから１８０ｍｍの位置に形成される。
【００６４】
なお、図８（ａ）及び（ｂ）においては、滑り止め部２２ｅとして、線状の突起が４本形成された場合につき図示したが、滑り止め部２２ｅの構成はこれに限られない。これより多数又は少数の線状の突起を形成してもよいし、例えば点状の突起等、線状以外の突起によって滑り止め部を形成してもよい。また、例えば、何らかの摩擦抵抗が大きい材料を表面に貼付することによって滑り止め部２２ｅを形成してもよい。
【００６５】
（突起部）
周面２２ｂの、先端２２ａａ付近には、図８（ａ）、（ｂ）及び（ｄ）に示すように、前方向に向かって突出する突起部２２ｆが、Ｙ軸方向に２個並ぶように備えられている。
突起部２２ｆの夫々は、図８（ａ）、（ｂ）及び（ｄ）に示すように、周面２２ｂに接する側が欠けた球状に形成され、球の直径が１ｍｍ〜１０ｍｍ、より好ましくは２ｍｍ〜６ｍｍとなるように形成される。また、周面２２ｂからの高さが０．５ｍｍ〜５ｍｍ、より好ましくは１ｍｍ〜３ｍｍに形成される。
なお、突起部２２ｆは、先端２２ａａ側を壁に向けて柄部２を立て掛けた際に、複数の点が壁に接するようにできるものであればよく、必ずしも２個に限定されず、より多数の突起部２２ｆが備えられていてもよい。また、形状も球状には限定されない。
【００６６】
（連結部）
把持部２２の下方には、図８（ａ）から（ｃ）に示すように、柄本体２１との連結に用いられる連結部２２ｇが備えられ、把持部２２は柄本体２１の上部に、連結部２２ｇを用いて着脱自在に取り付けられる。
連結部２２ｇの構成としては、２本の棒状の部材を着脱自在に連結可能であれば、任意の構成を採用可能である。
なお、上記のように、把持部２２が連結部２２ｇを備えず、柄本体２１と把持部２２とが一体的に形成されていてもよい。
【００６７】
（軟質部）
軟質部２２１は、熱可塑性エラストマー（スチレン系、オレフィン系）、ウレタン、ＥＶＡ樹脂等の、後述の硬質部２２２と比較して軟質な材料によって形成される。具体的な硬度としては、ゴム硬度６０〜１００（ＪＩＳ  Ｋ  ６２５３で規定する、デュロメータタイプＡ（ショアＡ）で測定した値）の材料によって形成されることが好ましい。
【００６８】
軟質部２２１は、図８（ａ）から（ｃ）に示すように、把持部２２の周面２２ｂ上部を、傾斜面２２ａが低くなる側、すなわち後側から、左右に回り込むように覆い、傾斜面２２ａが高くなる先端２２ａａ側、すなわち前側は覆わないように形成されている。
【００６９】
また軟質部２２１は、図８（ｄ）に示すように、傾斜面２２ａが高くなる前側の一部を除いて、傾斜面２２ａの略全体を覆っており、陥没部２２ｄａの内面全体も、軟質部２２１によって覆われている。
【００７０】
軟質部２２１は、図９に示すように、掃除具の使用者が把持部２２を把持した際に、人差指から小指までが掛かる範囲全体を覆うように形成されている。具体的には、把持部２２の上端から、４０ｍｍから２３０ｍｍ、より好ましくは６０ｍｍから１６０ｍｍ程度下方の位置まで形成されていることが望ましい。
【００７１】
（硬質部）
硬質部２２２は、把持部２２の本体をなす部分であり、軟質部２２１以外の把持部２２の全体である。
硬質部２２２は、プラスチック樹脂（ポリプロピレン）等の、軟質部２２１と比較して硬質な材料によって形成されている。
【００７２】
上記のように軟質部２２１が形成されていることによって、硬質部２２２は、図８（ａ）及び（ｂ）に示すように、把持部２２の前側においては、周面２２ｂの、柄本体２１と接続されている側と反対側の端部、すなわち上端部まで存在していることとなる。
【００７３】
｛ジョイント部｝
ジョイント部３は、図１、図２及び図３に示すように、ヘッド部１の天面部１１の上面側の略中央部に備えられる第１ヨーク部３１と、柄部２の下端部に備えられる第２ヨーク部３２と、第１ヨーク部３１と、第２ヨーク部３２と、を接続する連結部３３と、から形成されている。
【００７４】
（第１ヨーク部）
第１ヨーク部３１は、図１、図２、図３及び図１０に示すように、ヘッド部１の天面部１１の上面側中央部において天面部１１と一体的に形成された、第１対向面部３１１１で向かい合う二つの対称形状の第１突起部３１１によって形成されている。なお、本実施形態においては、２つの対称形状の突起を備えて形成された、他の部材との接続に用いられる部分を「ヨーク部」と呼ぶ。
【００７５】
（第１突起部）
第１突起部３１１は、図１、図２、図３及び図１０に示すように、Ｘ軸方向から見て、第１突起部３１１同士が対向する第１対向面部３１１１に向けて徐々に高さが高くなるように形成され、Ｙ軸に沿って並ぶように配置されている。
【００７６】
第１突起部３１１は、Ｘ軸方向５ｍｍ〜２０ｍｍ、好ましくは８ｍｍ〜１５ｍｍ、Ｙ軸方向１０ｍｍ〜５０ｍｍ、好ましくは１５ｍｍ〜３０ｍｍとなるように形成されている。また、最も高くなる第１対向面部３１１１付近においては、Ｚ軸方向５ｍｍ〜１５ｍｍ、好ましくは８ｍｍ〜１２ｍｍとなり、隆起部１１１と比較して同等又は高くなるように形成されている。また、第１突起部３１１は、第１対向面部３１１１同士が、１０ｍｍ〜２５ｍｍ、好ましくは１５ｍｍ〜２０ｍｍの間隔を有するように配置されている。
【００７７】
（第１対向面部）
第１対向面部３１１１は、図１、図２及び図１０に示すように、第１突起部３１１同士が向かい合う面であり、天面部１１の上面側から略垂直に立設する略矩形状に形成され、第１対向面部３１１１同士が平行となるように形成されている。
また、図７に示すように、第１対向面部３１１１には、穴部３１１３が形成されている。
【００７８】
（穴部）
穴部３１１３は、第１対向面部３１１１に形成された円柱状の穴であり、後述のように連結部３３の第１回動軸心部３３１との接続に用いられる。
【００７９】
（側面部）
側面部３１１２は、図１、図２及び図１０に示すように、第１対向面部３１１１の左右両側から連続して形成された、第１突起部３１１の、ＹＺ平面と平行にＸ軸方向を向く面であり、ヘッド部１の天面部１１の上面側から略垂直に立設するように形成されている。
【００８０】
（第２ヨーク部）
第２ヨーク部３２は、図１、図２、図３及び図１１に示すように、柄部２の柄本体２１の下端部において、軸方向に向けて延出する二つの対称形状の第２突起部３２１と、第２突起部３２１の第２対向面部３２１１の間に架け渡された第２軸部材３２２と、から形成されている。
【００８１】
（第２突起部）
第２突起部３２１は、図１、図３及び図１１に示すように、柄本体２１下端の、図１に示す状態におけるＸ軸方向の両端部に、第２対向面部３２１１同士が平行に向かい合うように柄本体２１と一体的に形成されている。
【００８２】
第２突起部３２１は、図１に示す状態において、Ｘ軸方向に２ｍｍ〜６ｍｍ、好ましくは３ｍｍ〜５ｍｍの厚みを有し、Ｙ軸方向に柄本体２１と略同一の幅を有する。X軸方向の厚みが薄すぎると清掃時の押圧による強度不足となり破損に繋がり易く、厚すぎると柄をX軸方向へ倒した際、柄がヘッド部の上面と干渉し略平行まで傾け難くなる。
また、第２対向面部３２１１同士が、２ｍｍ〜１０ｍｍ、好ましくは３ｍｍ〜７ｍｍの間隔を有するように形成されている。
【００８３】
（第２軸部材）
第２軸部材３２２は、図１１に示すように、第２対向面部３２１１の間を、Ｙ軸方向中心部においてＸ軸に沿って架け渡すように、第２突起部３２１と一体的に形成されている。
【００８４】
（連結部）
連結部３３は、図１、図２及び図３に示すように第１ヨーク部３１と、第２ヨーク部３２の間に介在する形で備えられ、図１２に示すように、前方向から見て略三角形状に形成され、中心軸が立体交差する形で交わることなく直交する第１回動軸心部３３１と第２回動軸心部３３２とを備えている。
また、連結部３３を形成する材料としては、例えばポリアセテートが用いられる。
【００８５】
（第１回動軸心部）
第１回動軸心部３３１は、図１２に示すように、連結部３３の下端部に形成された、第１ヨーク部３１との接続に用いられる部分であり、Ｙ軸方向両端部に、円柱状の突出部３３１１を有する。
第１回動軸心部３３１は、突出部３３１１を除いた部分のＹ軸方向の幅が、第１突起部３１１の第１対向面部３１１１同士の間隔と略同一となり、また、突出部３３１１が、穴部３１１３と略同一の形状となるように形成されている。したがって、突出部３３１１を穴部３１１３に嵌め込むことで、連結部３３を、Ｙ軸周りに回動可能に第１ヨーク部３１に装着することができる。
なお、図１２に示す第１回動軸心部３３１のＹ軸に沿った中心軸を、第１軸心ａとする。
【００８６】
（第２回動軸心部）
第２回動軸心部３３２は、図１２に示すように、連結部３３の上端部に形成された、第２ヨーク部３２との接続に用いられる部分であり、上端部の一部が切り欠かれ、前後方向に貫通した略円筒形状の第２装着孔部３３２１を有する。第２装着孔部３３２１は、内側に形成された円筒形状の空間の直径が、第２軸部材３２２の直径と略同一となる。また、Ｘ軸方向の長さが、第２軸部材３２２の長さと略同一となるように形成されており、第２装着孔部３３２１に、第２軸部材３２２を嵌め込むことで、連結部３３を、Ｘ軸周りに回動可能に、第２ヨーク部３２に固定することができる。
なお、図１２に示す第２回動軸心部３３２のＸ軸に沿った中心軸を、第２軸心ｂとする。
【００８７】
［実施形態の効果］
本実施形態によれば、まず、図１に示すように柄部２を柄部固定部１１３に固定していない状態において、取付部１３を用いて底面部１２の下面側を覆うように清掃シートＰを取り付けた上で、底面部１２の下面側を用いて清掃を行うことで、床面の拭き掃除を行うことができる。なお清掃シートＰとしては、一般的な矩形状の清掃シートを用いることができる。
【００８８】
これに対し、図１３に示すように、柄部２を柄部固定部１１３に固定し、さらに、底面部１２を天面部１１から外した上で、下方に位置する２か所の取付部１３に、下方に垂れ下がるようにして清掃シートＰを取り付けることで、掃除具１００は、清掃シートＰを穂先とする箒類似の状態となる。
したがって、掃除具１００を、箒のようにして掃き掃除に用いることができる。
また、この場合には、掃き掃除に不要な底面部１２が外されていることからヘッド部１が軽量化され、掃き掃除が行い易くなる。なお、後述のように底面部１２を塵取りのようにして用いることなく、掃除具１００を箒のようにして用いるのみであれば、底面部１２を外すことは必須ではない。
【００８９】
さらに、取り外した底面部１１２は、図６に示すように、短手方向の一端部付近においては、縁部凸部１２ａ及び上面リブ１２ｂが形成されず、端部まで平坦部１２ｄが続いている。これに対し、他の３方向の端部付近は、縁部凸部１２ａ及び上面リブ１２ｂが形成され、高くなっている。
これによって、縁部凸部１２ａ及び上面リブ１２ｂが形成されていない端部側から、床面のごみを掃き込むことができ、かつ、掃き込まれたごみは、他の３方向の端部からは、縁部凸部１２ａ及び上面リブ１２ｂによってこぼれ難くなっている。
【００９０】
したがって、天面部１１から取り外された底面部１２は、塵取りのようにして掃き掃除に用いることができる。
【００９１】
［変形例］
以下、上記実施形態の変形例について説明する。
【００９２】
（柄部固定部）
柄部固定部は、図１４（ａ）に示す柄部固定部１１３Ａように、上部に回動部１１３１ａが備えられ、折り曲げ可能に形成された２つのフック１１３１Ａから構成されていてもよい。また、回動部１１３１ａには、ロック機構（図示せず）が備えられている。なお、ロック機構としては、フック１１３１Ａを折り曲げた状態で回動部１１３１ａを固定し、これを解除して回動部１１３１ａを伸ばすことが可能であれば、公知の任意の構成を用いることができる。
この場合、回動部１１３１ａのロック機構を解除して回動部１１３１ａを伸ばし、フック１１３１Ａの間に柄本体２１を通した上で、フック１１３１Ａを回動部１１３１ａで再び折り曲げた状態とし、ロック機構によって回動部１１３１ａを固定することで、柄本体２１をヘッド部１に対して固定することができる。
これによって、柄本体２１のヘッド部１に対する固定が容易となると共に、これを強固に固定することが可能となる。
【００９３】
また、柄部固定部は、図１４（ｂ）に示す柄部固定部１１３Ｂのように、回動部１１３１ｂが形成され、かつ回動部１１３１ｂの先で湾曲した形状を有するフック１１３１Ｂと、フック１１３１Ｂの先端を天面部１１上面に固定する係止手段１１３２から構成されていてもよい。係止手段１１３２としては、フック１１３１Ｂの先端を天面部１１上に固定することができれば、任意の構成を用いることができる。
この場合、係止手段１１３２を解除して、回動部１１３１ｂを伸ばした上で、柄本体２１をフック１１３１Ｂと係止手段１１３２の間に載置した上で、フック１１３１Ｂを回動部１１３１ｂで再び折り曲げた状態とし、フック１１３１Ｂの先端を係止手段１１３２によって天面部１１上面に固定することで、柄本体２１をヘッド部１に対して固定することができる。
これによって、一つのフックしか用いることなく、上記柄部固定部１１３Ａと同一の効果を得ることができる。
【００９４】
（清掃シートの取付方法）
清掃シートＰは、取付部１３を用いる方法の他に、取付部１３を用いることなく、底面部１２を天面部１１から取り外した上で、その間に清掃シートＰを挟むようにして、再び底面部１２を天面部１１に取り付けることによって、ヘッド部１に固定するようにしてもよい。この場合、ヘッド部１は取付部１３を備えずともよい。
具体的には、拭き掃除を行う場合には、底面部１２の下面側を覆うようにして清掃シートＰを配置の上、ヘッド部１の短手方向の両端部において、天面部１１と底面部１２の間に清掃シートＰを挟み込むことによって、清掃シートＰをヘッド部１に取り付ける。
また、掃き掃除を行う場合には、柄部２を柄部固定部１１３に固定した上で、ヘッド部１の下方側において、清掃シートＰを天面部１１と底面部１２の間に挟み込むことによって、清掃シートＰをヘッド部１から下方に垂れ下がるようにして取り付ける。
この場合、取付部１３の爪部１３１を利用して清掃シートＰを取り付けることがなくなるため、清掃シートＰにそれほどの強度を要しない。また、掃き掃除においては、清掃シート自体にごみの捕集性があることを要しないため、専用の清掃シート以外を用いることも容易となり、例えば、一般家庭にある新聞紙等の紙を用いても、容易に掃き掃除を行うことが可能となる。
なお、この場合、底面部１２を塵取りとして用いることはできない。
【００９５】
（清掃シート）
掃除具１００に用いられる清掃シートは、一般的な矩形状のものを用いることができるが、掃き掃除に用いる場合には、図１５（ａ）に示すようにスリットが入った清掃シートＰＡを用いてもよい。
清掃シートＰＡは、比較的硬質なシート材で形成された硬質部ＰＡ１と、複数のスリットが形成され、複数の短冊状となるように形成された不織布等で形成されたスリット部ＰＡ２とからなり、上記のように、柄部２を柄部固定部１１３に固定し、さらに、清掃シートＰＡの硬質部ＰＡ１を、取付部１３を用いて天面部１１に取り付け、天面部１１の下方に複数の短冊状の不織布からなるスリット部ＰＡ２が垂れ下がった状態とする。
これによって、さらに箒と似た形状となり、掃き掃除がより行い易くなる。
【００９６】
また、図１５（ｂ）に示すように、一方に開口部ＰＢ１が設けられ、これに接続するスリットＰＢ２が形成された袋状に形成された清掃シートＰＢを用いてもよい。
この場合、開口部ＰＢ１から、スリットＰＢ２に柄本体２１を通すようにしてヘッド部１を清掃シートＰＢ中に収容することで、清掃シートＰＢをヘッド部１に取り付けることができる。
これによって、主として拭き掃除に用いる場合において、ヘッド部１に清掃シートを取り付け易くなる。
また、ヘッド部１を清掃シートＰＢ中に収容せずに、上記と同様に取付部１３を用いて又は天面部１１と底面部１２との間に挟むことによって、清掃シートＰＢをヘッド部１から下方に垂れ下がるように取り付ければ、掃き掃除にも用いることができ、この際には、清掃後に清掃シートＰＢをヘッド部１から外せば、清掃シートＰＢを、集めたごみを入れる袋としても利用できる。
【符号の説明】
【００９７】
１００  掃除具
１  ヘッド部
１１  天面部
１１３、１１３Ａ、１１３Ｂ  柄部固定部（固定手段）
１１３１、１１３１Ａ、１１３１Ｂ  フック
１１３１ａ、１１３１ｂ  回動部
１１３２  係止手段
１２  底面部
１２ａ  端部凸部（係合部）
１２ｂ  上面リブ（係合部）
１２ｃ  溝（係合部）
１２ｄ  平坦部
１３  取付部
２  柄部
Ｐ、ＰＡ、ＰＢ  清掃シート（清掃用部材）
【図１】
2019058372.tif 000003
【図２】
2019058372.tif 000004
【図３】
2019058372.tif 000005
【図４】
2019058372.tif 000006
【図５】
2019058372.tif 000007
【図６】
2019058372.tif 000008
【図７】
2019058372.tif 000009
【図８】
2019058372.tif 000010
【図９】
2019058372.tif 000011
【図１０】
2019058372.tif 000012
【図１１】
2019058372.tif 000013
【図１２】
2019058372.tif 000014
【図１３】
2019058372.tif 000015
【図１４】
2019058372.tif 000016
【図１５】
2019058372.tif 000017
【手続補正書】
【提出日】平成31年1月4日(2019.1.4)
【手続補正１】
【補正対象書類名】明細書
【補正対象項目名】０００６
【補正方法】変更
【補正の内容】
【０００６】
上記課題を解決するために、請求項１に記載の発明は、掃除具において、
清掃用部材が取り付けられるヘッド部と、前記ヘッド部に接続され、使用者が把持するための柄部と、を有し、
前記ヘッド部は、
前記柄部を前記ヘッド部の上面に対して略平行に倒した状態でこれを固定する固定手段を備え、
上面側を形成し柄部が接続される天面部と、下面側を形成し、前記天面部に対し着脱自在に形成された底面部と、を有し、
前記底面部は平面視略矩形状に形成され、
前記底面部の前記天面部との対向面には、一辺の縁部から中央部へと繋がる平坦部と、前記一辺側を除いて前記平坦部を囲んで、前記平坦部から隆起するように形成された隆起部と、が備えられていることを特徴とする。
本発明によれば、単一の掃除具で、拭き掃除と掃き掃除の両方を行うことができる掃除具を提供することができる。
【手続補正２】
【補正対象書類名】明細書
【補正対象項目名】０００７
【補正方法】変更
【補正の内容】
【０００７】
請求項２に記載の発明は、請求項１に記載の掃除具において、
前記隆起部は、前記対向面の縁部近傍に形成された縁部凸部と、前記縁部凸部の内周側に形成されたリブと、を備え、前記縁部凸部と、前記リブとの間に、前記底面部を前記天面部に着脱自在に固定するための溝が形成されていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項３に記載の発明は、請求項１又は２に記載の掃除具において
前記ヘッド部の上面側には、清掃用部材を取り付けるための取付部が備えられていることを特徴とする。
本発明によれば、清掃用部材を取り付け易くなる。
【手続補正５】
【補正対象書類名】明細書
【補正対象項目名】００１０
【補正方法】変更
【補正の内容】
【００１０】
請求項４に記載の発明は、請求項１から３のいずれか一項に記載の掃除具において、
前記固定手段は、回動部を有する複数のフックを備え、
前記回動部には、前記回動部を折り曲げた状態で固定可能なロック機構が備えられていることを特徴とする。
本発明によれば、柄部のヘッド部に対する固定が容易となると共に、柄部をヘッド部に対し強固に固定することが可能となる。
【手続補正６】
【補正対象書類名】明細書
【補正対象項目名】００１１
【補正方法】変更
【補正の内容】
【００１１】
請求項５に記載の発明は、請求項１から３のいずれか一項に記載の掃除具において、
前記固定手段は、回動部を有するフックと、前記フックの先端を前記ヘッド部上面に固定する係止手段と、を備えることを特徴とする。
本発明によれば、柄部のヘッド部に対する固定が容易となると共に、柄部をヘッド部に対し強固に固定することが可能となる。
【手続補正７】
【補正対象書類名】特許請求の範囲
【補正対象項目名】全文
【補正方法】変更
【補正の内容】
【特許請求の範囲】
【請求項１】
清掃用部材が取り付けられるヘッド部と、前記ヘッド部に接続され、使用者が把持するための柄部と、を有し、
前記ヘッド部は、
前記柄部を前記ヘッド部の上面に対して略平行に倒した状態でこれを固定する固定手段を備え、
上面側を形成し柄部が接続される天面部と、下面側を形成し、前記天面部に対し着脱自在に形成された底面部と、を有し、
前記底面部は平面視略矩形状に形成され、
前記底面部の前記天面部との対向面には、一辺の縁部から中央部へと繋がる平坦部と、前記一辺側を除いて前記平坦部を囲んで、前記平坦部から隆起するように形成された隆起部と、が備えられていることを特徴とする掃除具。
【請求項２】
前記隆起部は、前記対向面の縁部近傍に形成された縁部凸部と、前記縁部凸部の内周側に形成されたリブと、を備え、前記縁部凸部と、前記リブとの間に、前記底面部を前記天面部に着脱自在に固定するための溝が形成されていることを特徴とする請求項１に記載の掃除具。
【請求項３】
前記ヘッド部の上面側には、清掃用部材を取り付けるための取付部が備えられていることを特徴とする請求項１又は２に記載の掃除具。
【請求項４】
前記固定手段は、回動部を有する複数のフックを備え、
前記回動部には、前記回動部を折り曲げた状態で固定可能なロック機構が備えられていることを特徴とする請求項１から３のいずれか一項に記載の掃除具。
【請求項５】
前記固定手段は、回動部を有するフックと、前記フックの先端を前記ヘッド部上面に固定する係止手段と、を備えることを特徴とする請求項１から３のいずれか一項に記載の掃除具。